(57)【特許請求の範囲】
【請求項１】
ケース内にラッチ部材がその先端部を突き出して移動可能に配設され、把手を固定する固定ねじが該ケース内に挿通され、該把手を引くことにより該ラッチ部材をケース内に引き戻す方向に移動させてラッチを解除するラッチ装置において、
前記把手の固定ねじを挿通させるための筒体が前記ケース内に該ラッチ部材と直角方向に移動可能に配設され、該ラッチ部材と該筒体の一部にラック部が設けられ、ピニオンが該ラッチ部材のラック部と常時噛合し且つ該筒体のラック部とは該把手の引き操作時にのみ噛合するように配設され、該ケースの側壁部に調節ねじが該ラッチ部材を移動させその先端部の突出し長さを調節可能に設けられたことを特徴とするラッチ装置。
【発明の詳細な説明】
【０００１】
【発明の属する技術分野】
本発明は、流し台の天袋等の扉に使用され、扉を閉鎖状態に保持し、把手の引き操作によりラッチを外す扉用のラッチ装置に関する。
【０００２】
【従来の技術】
従来、例えば、流し台の天袋の扉には、扉自身或は内部からの開方向の力に対して、閉鎖状態を確実に保持し、外側からの把手の引き操作により、ラッチを外す扉用のラッチ装置が使用され、地震の際などに扉が自然に開くことのないようにしている。
【０００３】
この種の従来のラッチ装置は、ケース内にラッチ部材を突き出し引き戻し可能に配設すると共に、把手をその軸方向に移動可能にケース内に挿通させると共に、その把手の末端を２つのテーパ部材を介してラッチ部材に係合させた構造であり、その把手を引くことにより、ラッチ部材をケース内に引き戻す方向に移動させて、ラッチを解除するように動作する。
【０００４】
【発明が解決しようとする課題】
しかし、従来のこの種のラッチ装置は、把手の軸がテーパ部材を介してラッチ部材に係合され、ラッチ部材の位置が把手の位置に影響するため、ラッチ部材の突出長を調整できない構造となっている。このため、ラッチ装置を扉に固定した後は、ラッチ部材の先端位置の調節ができず、ヒンジ等によって扉の位置調整があった場合、ラッチ部材の受座に対する位置がずれ、ラッチ動作が適正にできなくなる。このため、ラッチ装置自体の取付位置を変更する必要性が生じるが、ラッチ装置の取付位置は、孔を明けて取付けた把手の取付位置とも関係するため、その再調整ができにくい問題があった。
【０００５】
本発明は、上記の点に鑑みてなされたもので、ラッチ部材の突き出し長さを容易に調節することができるラッチ装置を提供することを目的とする。
【０００６】
【課題を解決するための手段】
上記目的を達成するために、本発明のラッチ装置は、ケース内にラッチ部材がその先端部を突き出して移動可能に配設され、把手を固定する固定ねじがケース内に挿通され、把手を引くことによりラッチ部材をケース内に引き戻す方向に移動させてラッチを解除するラッチ装置において、把手の固定ねじを挿通させるための筒体がケース内にラッチ部材と直角方向に移動可能に配設され、ラッチ部材と筒体の一部にラック部が設けられ、ピニオンがラッチ部材のラック部と常時噛合し且つ筒体のラック部とは把手の引き操作時にのみ噛合するように配設され、ケースの側壁部に調節ねじがラッチ部材を移動させその先端部の突出し長さを調節可能に設けられたことを特徴とする。
【０００７】
【作用・効果】
このような構成のラッチ装置は、扉の内側に固定され、把手の固定ねじが筒体内に挿通され、扉の表側に突き出したその固定ねじの端部に把手が引き操作可能に固定される。対応する反対側の扉又は固定側にはラッチの受座が固定される。扉を閉じると、ラッチ部材の先端部が受座に当って少し戻されながらそれを乗り越えそこに係止される。
【０００８】
扉を開くために、把手を引くと、固定ねじを介してケース内の筒体が軸方向に移動し、そのラック部がピニオンと噛合し、ピニオンが回転することにより、ラッチ部材がその先端部を引き戻す方向に移動する。これにより、ラッチ先端部と受座との係合が外れ、ラッチが解除され、扉は開放される。
【０００９】
ラッチ装置を扉に取付けた後、扉のズレ等によりラッチ先端部の突き出し長さを調節する必要が生じた場合、調整ねじによりラッチ部材を移動させて調節する。この場合、筒体のラック部とピニオンとは噛合していないため、ラッチ部材を調節ねじにより容易に移動させてラッチ先端部の突き出し長さを調節することができ、また、その移動により把手の装着位置に影響を与えることはない。
【００１０】
【発明の実施の形態】
以下、本発明の実施の形態を図面に基づいて説明する。
【００１１】
図１はラッチ装置の正面図を示し、図２はその側面図を、図３はその平面図を示している。このラッチ装置は、ケース１内にラッチ部材２を移動可能に且つそのラッチ先端部２ａを突出して配設し、ケース１内中央に筒体４を縦に（ラッチ部材と直角方向に）移動可能に配設し、調節ねじ３をラッチ部材２の末端に係合させてケース端部に嵌挿し、さらに、ラッチ部材２の一部に設けたラック部と筒体４の一部に設けたラック部に噛合可能なピニオン５を配設して構成される。
【００１２】
ラッチ部材２は、図８〜図１１に示すように、テーパ状の曲面を有するラッチ先端部２ａと、その後部両側に延設されたラック部２ｂと、両側のラック部２ｂの後部を連結するように形成された連結部２ｃとから構成される。連結部２ｃにはスリット孔２ｄが形成され、そこに調節ねじ３の先端部が係合する。
【００１３】
ケース１の背面側の開口部には、中央に筒状の突起部６ａを持った蓋体６が嵌着される。ケース１中央には孔が形成されると共にその孔の両側に半割筒状のガイド部１ａが設けられ、そのガイド部１ａの内側に筒体４が移動可能に配設される。
【００１４】
ラッチ部材２は、そのラッチ先端部２ａをケース１の左側面に設けた矩形孔から突出させ、そのラック部２ｂをガイド部１ａと側壁との間に挿通させ、所定の範囲で移動可能、つまり、ラッチ先端部２ａを突き出し引き戻し、且つその先端位置を調整可能な範囲で移動できるように、ケース１内に配設される。
【００１５】
調節ねじ３は、その中間部におねじを有し、そのおねじをケース１内に固定した金属板７のめねじ孔にねじ込んで取付けられる。調節ねじ３の先端小径部はラッチ部材２の連結部２ｃのスリット孔２ｄに挿通し、その先端の大径部３ａが連結部２ｃの内側に係合する。
【００１６】
そして、連結部２ｃとケース側壁部間にコイルばね８が設けられ、ラッチ部材２は、このコイルばね８により、突出方向に付勢されるが、調節ねじ８の先端大径部がラッチ部材の連結部２ｃに当ってその突出が制限されるため、調節ねじ８のケース内へのねじ込み長さを変えることにより、ラッチ部材２の突き出し長さが調節可能となる。
【００１７】
ケース１内のガイド部１ａ内には筒体４が挿入され、上から蓋体６を被せた状態で、蓋体６の突起部６ａ内に、筒体４がその端部から突出可能に配設される。筒体４内には、後述する把手の固定ねじ１１が挿通され、把手を引くことにより、筒体４は図４又は図６の上方に移動する。筒体４の外周には、コイルばね９が筒体４をケース１内に引き戻す方向に付勢するように、段差部と突起部６ａ間に配設される。
【００１８】
また、図１２、図１３に示すように、筒体４の一側部（ラック部材の先端側）にはその縦方向にラック部４ａが形成され、このラック部４ａはピニオン５と噛合可能である。ピニオン５は、ラッチ部材２のラック部２ｂと噛合して配設され、軸１０により回転自在に支持される。軸１０の両端はケース１内に設けた溝部に嵌合し、定位置に支持される。図４に示すように、ピニオン５と筒体４のラック部４ａは非操作時には噛合しないが、把手を引くことによって筒体４が図４の上方に引き出されるとき、噛合する。
【００１９】
このような構成のラッチ装置は、図１４に示すように、流し台の天袋などにおける扉Ｗ１の内側端部に、把手Ｔの固定ねじ１１により、把手Ｔと共に固定される。即ち、扉Ｗ１の所定位置に貫通孔が穿設され、その孔に内側から蓋体６の突起部６ａを嵌入させると共に、ケース１の両側に設けた取付孔１ｂと取付ねじを用いて、ラッチ装置は取付けられる。
【００２０】
そして、固定ねじ１１が筒体４内に挿通され、スペーサ１２が外側から固定ねじ１１に外嵌・挿入されると共に、貫通孔の縁にスリーブ１３が嵌着される。そして、そこから突出した固定ねじ１１の端部に把手Ｔがねじ込み固定される。
【００２１】
一方、反対側の扉Ｗ２におけるラッチ先端部２ａの対応位置に、受座１４がラッチ先端部２ａと係合する位置に固定される。
【００２２】
ラッチ装置を取付けた後、扉の調整等によりその位置がずれた場合、ラッチの係合が不完全になるため、調節ねじ３を用いてラッチ部材２のラッチ先端部２ａの突き出し長さを調節する。
【００２３】
即ち、図４に示すように、調節ねじ３を右にねじ込むと、そのねじ込み量に応じてラッチ部材２が図の左に移動し、ラッチ先端部２ａの突出し長を長くする。また、逆に調節ねじ３を左に戻すように回すと、ラッチ部材２が図の右に移動しラッチ先端部２ａの突き出し長さを短くする。このように、非操作状態では、ピニオン５と筒体４のラック部４ａが噛合してないため、把手Ｔの位置に影響を与えずにラッチ部材２の位置を調節ねじ３により簡単に調節することができる。
【００２４】
使用時に、把手Ｔを手前に引くと、筒体４が図４の上方に引かれて移動し、この動作により、ラック部４ａとピニオン５が噛合し、ピニオン５が回転し、その回転がラック部２ｂを介してラック部材２を図４の右側つまり引き戻す方向に移動させる。これにより、ラッチ先端部２ａと受座１４との係合が外れ、扉Ｗ１が開放される。一方、扉Ｗ１を押して閉じれば、ラッチ部材のラッチ先端部２ａが受座１４に当って戻りながらそれを乗り越え、ラッチがかけられる。
【００２５】
ハンドル形の把手Ｈを使用する場合には、図１５のように取付けられる。ハンドル形の把手Ｈの場合、ラッチ装置自体の取付けは、上記図１４の例と同様に、扉Ｗ３の所定位置に穿設した貫通孔を用いて行われる。そして、固定ねじ１１が筒体４内に挿通され、スリーブ１３から外側に突出したねじの端部に、把手Ｈの一端部をねじ込むようにして固定される。
【００２６】
一方、把手Ｈの他方端部に対応した扉Ｗ３にも貫通孔が穿設され、そこにスリーブ状のハンドル受け１５が嵌着される。ハンドル受け１５内にスペーサ１６がコイルばねを介して一定の範囲で移動可能に嵌挿され、そのスペーサ１６外に固定ねじ１７が挿通される。そして、貫通孔の縁にスリーブ１３が嵌着され、スリーブ１３から外側に突出したねじの端部に、把手Ｈの他端部をねじ込むようにして固定される。ラッチ先端部２ａに対応した固定側には、受座１８がラッチ先端部２ａと係合する位置に固定される。ラッチ先端部２ａの突き出し長さの調節や、把手Ｈの操作時におけるラッチ装置のラッチ動作は、上述の実施例を同様である。
【図面の簡単な説明】
【図１】本発明の一実施例を示すラッチ装置の正面図である。
【図２】同装置の側面図である。
【図３】同装置の底面図である。
【図４】図１の IV − IV 断面図である。
【図５】蓋体を外した状態の背面図である。
【図６】図４のVI−VI断面図である。
【図７】図４の VII− VII断面図である。
【図８】ラッチ部材２の平面図である。
【図９】ラッチ部材２の正面図である。
【図１０】図８のX −X 断面図である。
【図１１】図８のXI−XI断面図である。
【図１２】筒体４の正面図である。
【図１３】筒体４の側面図である。
【図１４】装置の取付状態を示す平面図である。
【図１５】装置の取付状態を示す平面図である。
【符号の説明】
１−ケース
２−ラッチ部材、２ａ−ラッチ先端部、２ｂ−ラック部
３−調節ねじ
４−筒体、４ａ−ラック部
５−ピニオン
１１−固定ねじ
【図１】
0003692596.tif 000002
【図２】
0003692596.tif 000003
【図３】
0003692596.tif 000004
【図４】
0003692596.tif 000005
【図５】
0003692596.tif 000006
【図６】
0003692596.tif 000007
【図７】
0003692596.tif 000008
【図８】
0003692596.tif 000009
【図９】
0003692596.tif 000010
【図１０】
0003692596.tif 000011
【図１１】
0003692596.tif 000012
【図１２】
0003692596.tif 000013
【図１３】
0003692596.tif 000014
【図１４】
0003692596.tif 000015
【図１５】
0003692596.tif 000016